(57)【要約】【課題】帯が捩れ難い安全帯を提供する。【解決手段】装着者の両肩に夫々掛け回される一対の肩帯２，３と、装着者の両腿に夫々巻き回される一対の腿帯４，５とを備える安全帯１であって、肩帯２，３又は腿帯４，５の少なくとも一部分は２重構造であり、２重構造部分には芯部材１０が挟まれている。芯部材１０は、エアチューブ１１で構成することができる。エアチューブ１１には空気を送るポンプ１２が設けられている。肩帯２，３のうち、少なくとも装着者の肩に対応する位置である肩部９は、芯部材１０が挟まれる２重構造となっている。【選択図】図２
2017131404.tif 000002
【特許請求の範囲】
【請求項１】
装着者の両肩に夫々掛け回される一対の肩帯と、
装着者の両腿に夫々巻き回される一対の腿帯とを備える安全帯であって、
肩帯又は腿帯の少なくとも一部分は２重構造であり、２重構造部分には芯部材が挟まれていることを特徴とする安全帯。
【請求項２】
請求項１記載の安全帯であって、前記芯部材はエアチューブであることを特徴とする安全帯。
【請求項３】
請求項２記載の安全帯であって、前記エアチューブに空気を送るポンプを備えることを特徴とする安全帯。
【請求項４】
請求項１記載の安全帯であって、前記芯部材は緩衝材であることを特徴とする安全帯。
【請求項５】
請求項１から請求項４の何れか１項に記載の安全帯であって、
前記２重構造は、少なくとも前記肩帯の前記装着者の肩に対応する位置に設けられていることを特徴とする安全帯。
【請求項６】
請求項１から請求項５の何れか１項に記載の安全帯であって、
前記２重構造は、少なくとも前記腿帯の前記装着者の内腿に対応する位置に設けられていることを特徴とする安全帯。
【発明の詳細な説明】
【技術分野】
【０００１】
本発明は、人間が高所で作業するときなどに用いられる安全帯に関する。
【背景技術】
【０００２】
従来、高い場所で作業する作業員（装着者）に命綱を付けて装着される所謂フルハーネス型の安全帯であり、装着者の両肩に夫々掛け回される一対の肩帯と、装着者の両腿に夫々巻き回される一対の腿帯とを備えるものが知られている（例えば、特許文献１参照）。
【０００３】
所謂フルハーネス型の安全帯では、装着者の右肩に掛け回される右肩帯は、装着者の左腿に巻き回される左腿帯に連結される。反対に装着者の左肩に掛け回される左肩帯は、装着者の右腿に巻き回される右腿帯に連結される。特許文献１の安全帯は、装着者の背中で両肩帯をＸ字状に交差させるパッドを備える所謂Ｘ型安全帯である。
【０００４】
また、装着者の動き易さを向上させるべく、両腿帯から延びる２つの肩帯を装着者の腰のあたりに設けられた結束具で一度まとめるように重ね合わせて、その後、装着者の背中のあたりに位置する分岐部材を用いて対応する装着者の肩に向かうように肩帯をＹ字状に分岐させる安全帯（Ｙ型安全帯）も知られている（例えば、特許文献２参照）。
【０００５】
分岐部材には、右肩帯を装着者の右肩へ向けて分岐させる第１挿通孔と、左腿帯を装着者の左肩へ向けて分岐させる第２挿通孔とが設けられている。
【先行技術文献】
【特許文献】
【０００６】
【特許文献１】特開２００６−２２３６３９号公報
【特許文献２】特開２０１３−８１５９７号公報
【発明の概要】
【発明が解決しようとする課題】
【０００７】
従来の安全帯は、例えば、装着者が装着するときなどに帯が捩れてしまう場合があり、適切な状態で装着するのに時間を要する場合がある。
【０００８】
本発明は、以上の点に鑑み、帯が捩れ難い安全帯を提供することを目的とする。
【課題を解決するための手段】
【０００９】
［１］上記目的を達成するため、本発明は、装着者の両肩に夫々掛け回される一対の肩帯と、装着者の両腿に夫々巻き回される一対の腿帯とを備える安全帯であって、肩帯又は腿帯の少なくとも一部分は２重構造であり、２重構造部分には芯部材が挟まれていることを特徴とする。
【００１０】
本発明によれば、２重構造部分に芯部材が挟まれているため、肩帯又は腿帯が捩れることを防止することができる。
【００１１】
［２］また、本発明の芯部材は、エアチューブで構成することができる。
【００１２】
［３］また、本発明の芯部材をエアチューブで構成する場合には、エアチューブに空気を送るポンプを設ければ、エアチューブ内の空気を調節することができ、便利である。
【００１３】
［４］また、本発明の芯部材は、緩衝材で構成することができる。緩衝材としては、ゲル化素材やポリエチレンシート、ウレタン、シリコーンなどが挙げられるが、これらに限らない。
【００１４】
［５］また、本発明の２重構造は、少なくとも肩帯の装着者の肩に対応する位置に設けられていることが好ましい。かかる構成によれば、肩帯の比較的捩れやすい部分の捩れを防止することができると共に、肩帯の芯部材をエアチューブ又は緩衝材で構成すれば、比較的負荷が掛かり易い装着者の肩への負荷を軽減することができる。
【００１５】
［６］また、本発明の２重構造は、少なくとも腿帯の装着者の内腿に対応する位置に設けられていることが好ましい。かかる構成によれば、腿帯の比較的捩れやすい部分の捩れを防止することができると共に、腿帯の芯部材をエアチューブ又は緩衝材で構成すれば、比較的負荷が掛かり易い装着者の内腿への負荷を軽減することができる。
【図面の簡単な説明】
【００１６】
【図１】本発明の安全帯の実施形態を示す説明図。
【図２】本実施形態の２重構造部分を示す説明図。
【発明を実施するための形態】
【００１７】
図１及び図２を参照して本発明の安全帯の実施形態を説明する。図１に示すように、本実施形態の安全帯１は、高い場所で作業する作業員（装着者）に命綱（ランヤード）を付けて装着される所謂フルハーネス型のものであり、装着者の両肩に夫々掛け回される一対の肩帯２，３と、装着者の両腿に夫々巻き回される一対の腿帯４，５と、装着者の腰に巻き回される腰帯６とを備える。
【００１８】
装着者の一方の肩（右肩）に掛け回される右肩帯２の後端は、装着者の他方の腿（左腿）に巻き回される環状の左腿帯４の後部分に接続される。また、右肩帯２の前端は、装着者の一方の腿（右腿）に巻き回される環状の右腿帯５の前部分に接続される。
【００１９】
装着者の他方の肩（左肩）に掛け回される左肩帯３の後端は、装着者の一方の腿（右腿）に巻き回される環状の右腿帯５の後部分に接続される。また、左肩帯３の前端は、装着者の他方の腿（左腿）に巻き回される環状の左腿帯４の前部分に接続される。
【００２０】
一対の肩帯２，３は、下方分岐部材７により装着者の背中で一度束ねられる様に重ね合わせてから、上方分岐部材８を通って、両肩に向かって分かれる。
【００２１】
下方分岐部材７は、主に上方分岐部材８を１８０度回転させたものと同一形状の上方分岐部材８の点対称形状となっている。
【００２２】
装着者の肩に対応する位置の肩帯２，３の部分（図１の肩部９）は、帯が２重に重ね合わされた２重構造となっている。なお、この２重構造は、帯を筒状に形成して構成することもできるし、２つの帯を重ね合わせて構成することもできる。
【００２３】
２重構造の肩部９には、図２に断面を示すように、芯部材１０が挟まれている。この芯部材１０は、折曲げるようにして２重構造の肩部９の中に挿入されたエアチューブ１１で構成されている。なお、芯部材１０は、エアチューブでなくてもよく、緩衝材で構成することもできる。緩衝材としては、例えば、ゲル化素材やポリエチレンシート、ウレタン、シリコーン等が挙げられるが、これらに限らない。
【００２４】
エアチューブ１１には、ポンプ１２が接続されており、装着者はポンプ１２を押圧することにより、エアチューブ１１内に空気を送り込みエアチューブ１１のふくらみを調節することができるようにしている。
【００２５】
なお、ポンプ１２は、着脱できるように構成することもできる。この場合、ポンプ１２を取り付ける部分には、エアチューブ１１内の空気が漏れないように逆止弁を設ければよい。また、図２では、比較的大きいポンプ１２を図示したが本発明のポンプの形状はこれに限らず、例えば、肩帯に固定されたボタン状のポンプであってもよい。
【００２６】
また、装着者の内腿に対応する位置の腿帯４，５の部分（図１の内腿部１３）も、肩部９と同様に２重構造となっており、中に芯部材１０が挟まれている。この芯部材１０も肩部９と同様に、エアチューブ１１や、ゲル化素材やポリエチレンシート、ウレタン、シリコーン等の緩衝材等で構成することができるが、これらに限るものではない。
【００２７】
本実施形態の安全帯１によれば、肩部９や内腿部１３を２重構造とし、この２重構造部分に芯部材１０を挟んでいるため、肩帯２，３及び腿帯４，５のうち装着時などに比較的捩れやすい部分である肩部９及び内腿部１３が捩れることを防止することができ、装着者が安全帯１を容易に装着することができる。
【００２８】
また、芯部材１０をエアチューブ１１（又は緩衝材）で構成することにより、装着者に肩帯２，３や股帯４，５が食い込み難くなり、安全帯１による装着者への負担を軽減させることができる。
【００２９】
なお、本発明の安全帯においては、全ての帯を２重構造として、中に芯部材を挟んでもよい。また、本発明の安全帯としては、肩帯又は腿帯の少なくとも一部分が２重構造であり、この２重構造部分に芯部材が挟まれていればよい。
【符号の説明】
【００３０】
１  安全帯
２  右肩帯
３  左肩帯
４  左腿帯
５  右腿帯
６  腰帯
７  下方分岐部材
８  上方分岐部材
９  肩部
１０  芯部材
１１  エアチューブ
１２  ポンプ
１３  内腿部
【図１】
2017131404.tif 000003
【図２】
2017131404.tif 000004